【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
放送を受信する第１の放送受信手段と、
番組の放送日時およびチャンネルを表す番組データを記憶手段に登録しておき、記憶手段に登録された番組データの中から放送日時が現時刻に一致した該当番組データを検索する検索手段と、
前記検索手段が該当番組データを検索した時に、その該当番組データのチャンネルと異なるチャンネルの放送を前記第１の放送受信手段が受信している場合に、前記第１の放送受信手段が受信しているチャンネルで放送受信を開始する第２の放送受信手段と、
前記第２の放送受信手段が放送受信を開始する時に、前記第１の放送受信手段に該当番組データのチャンネルで放送受信するよう指示するチャンネル変更指示手段と、
前記第２の放送受信手段の受信開始に応じて、その受信出力の録画を開始する録画手段と
を具備することを特徴とする端末装置。
【請求項２】
放送を受信する第１および第２の放送受信手段と、
受信開始指示に応じて放送を受信する第２の放送受信手段と、
番組の放送日時およびチャンネルを表す番組データを記憶手段に登録しておき、記憶手段に登録された番組データの中から現時刻が放送日時に一致した該当番組データを検索する検索手段と、
前記検索手段が該当番組データを検索した時に、その該当番組データのチャンネルと異なるチャンネルの放送を前記第１の放送受信手段が受信している場合に、該当番組データが指定する番組に切り換えるか否かを指示する指示手段と、
前記指示手段が切り換える旨を指示した場合、前記第１の放送受信手段が受信しているチャンネルで受信開始するよう前記第２の放送受信手段に指示する第１の受信開始指示手段と、
前記第２の放送受信手段が放送受信を開始する時に、前記第１の放送受信手段に該当番組データのチャンネルで放送受信するよう指示するチャンネル変更指示手段と、
前記切換指示手段が切り換えない旨を指示した場合、該当番組データのチャンネルで受信開始するよう前記第２の放送受信手段に指示する第２の受信開始指示手段と、
前記第２の放送受信手段の受信開始に応じて、その受信出力の録画を開始する録画手段と
を具備することを特徴とする端末装置。
【請求項３】
前記検索手段は、番組の放送日時、チャンネルおよび優先順位を表す番組データを記憶手段に登録しておき、記憶手段に登録された番組データの中から現時刻が放送日時に一致するものを複数検索した場合、その内で優先順位の高いものを該当番組データとして選択することを特徴とする請求項１又は２に記載の端末装置。
【請求項４】
放送を受信する第１の放送受信手段と、
第１の受信態様を指示された時に指定されたチャンネルの放送を受信し、第２の受信態様を指示された時に文字放送を巡回受信する第２の放送受信手段と、
番組の内容を表すキーワードを記憶手段に登録する登録手段と、
前記第２の放送受信手段に第２の受信態様を指示し、これに応じて前記第２の放送受信手段が巡回受信中に文字放送から得た文字データと前記キーワードとが一致した場合に、前記第２の放送受信手段に第１の受信態様を指示して前記第１の放送受信手段が受信しているチャンネルで放送を受信させる一方、前記キーワードに一致した文字データを含む文字放送を前記第２の放送受信手段が受信した時のチャンネルを受信するよう前記第１の放送受信手段に指示する受信態様制御手段と、
第２の受信態様から第１の受信態様に変更された時に前記第２の放送受信手段の受信出力の録画を開始する録画手段と
を具備することを特徴とする端末装置。
【請求項５】
放送を受信する第１の放送受信手段と、
第１の受信態様を指示された時に指定されたチャンネルの放送を受信し、第２の受信態様を指示された時に文字放送を巡回受信する第２の放送受信手段と、
番組の内容を表すキーワードを記憶手段に登録する登録手段と、
前記第２の放送受信手段に第２の受信態様を指示し、これに応じて前記第２の放送受信手段が巡回受信中に文字放送から得た文字データと前記キーワードとが一致した場合に、そのキーワードで表される内容の見たい番組に切り換えるか否かを指示する指示手段と、
前記指示手段が切り換える旨を指示した場合、前記第２の放送受信手段に第１の受信態様を指示して前記第１の放送受信手段が受信しているチャンネルで放送を受信させる一方、前記キーワードに一致した文字データを含む文字放送を前記第２の放送受信手段が受信した時のチャンネルを受信するよう前記第１の放送受信手段に指示する第１の受信態様制御手段と、
前記切換指示手段が切り換えない旨を指示した場合、前記第２の放送受信手段に第１の受信態様を指示する第２の受信態様制御手段と、
第２の受信態様から第１の受信態様に変更された時に前記第２の放送受信手段の受信出力の録画を開始する録画手段と
を具備することを特徴とする端末装置。
【請求項６】
放送を受信する第１の放送受信処理と、
番組の放送日時およびチャンネルを表す番組データをメモリ登録しておき、メモリ登録された番組データの中から放送日時が現時刻に一致した該当番組データを検索する検索処理と、
前記検索処理が該当番組データを検索した時に、その該当番組データのチャンネルと異なるチャンネルの放送を前記第１の放送受信処理で受信している場合に、前記第１の放送受信処理が受信しているチャンネルで放送受信を開始する第２の放送受信処理と、
前記第２の放送受信処理が放送受信を開始する時に、前記第１の放送受信処理に該当番組データのチャンネルで放送受信するよう指示するチャンネル変更指示処理と、
前記第２の放送受信処理の受信開始に応じて、その受信出力の録画を開始する録画処理と
をコンピュータで実行させることを特徴とする端末処理プログラム。
【請求項７】
放送を受信する第１の放送受信処理と、
受信開始指示に応じて放送を受信する第２の放送受信処理と、
番組の放送日時およびチャンネルを表す番組データをメモリ登録しておき、メモリ登録された番組データの中から現時刻が放送日時に一致した該当番組データを検索する検索処理と、
前記検索処理が該当番組データを検索した時に、その該当番組データのチャンネルと異なるチャンネルの放送を前記第１の放送受信処理が受信している場合に、該当番組データが指定する番組に切り換えるか否かを指示する指示処理と、
前記指示処理が切り換える旨を指示した場合、前記第１の放送受信処理が受信しているチャンネルで受信開始するよう前記第２の放送受信処理に指示する第１の受信開始指示処理と、
前記第２の放送受信処理が放送受信を開始する時に、前記第１の放送受信処理に該当番組データのチャンネルで放送受信するよう指示するチャンネル変更指示処理と、
前記切換指示処理が切り換えない旨を指示した場合、該当番組データのチャンネルで受信開始するよう前記第２の放送受信処理に指示する第２の受信開始指示処理と、
前記第２の放送受信処理の受信開始に応じて、その受信出力の録画を開始する録画処理と
をコンピュータで実行させることを特徴とする端末処理プログラム。
【請求項８】
放送を受信する第１の放送受信処理と、
第１の受信態様を指示された時に指定されたチャンネルの放送を受信し、第２の受信態様を指示された時に文字放送を巡回受信する第２の放送受信処理と、
番組の内容を表すキーワードをメモリ登録する登録処理と、
前記第２の放送受信処理に第２の受信態様を指示し、これに応じて前記第２の放送受信処理が巡回受信中に文字放送から得た文字データと前記キーワードとが一致した場合に、前記第２の放送受信処理に第１の受信態様を指示して前記第１の放送受信処理が受信しているチャンネルで放送を受信させる一方、前記キーワードに一致した文字データを含む文字放送を前記第２の放送受信処理が受信した時のチャンネルを受信するよう前記第１の放送受信処理に指示する受信態様制御処理と、
第２の受信態様から第１の受信態様に変更された時に前記第２の放送受信処理による受信出力の録画を開始する録画処理と
をコンピュータで実行させることを特徴とする端末処理プログラム。
【請求項９】
放送を受信する第１の放送受信処理と、
第１の受信態様を指示された時に指定されたチャンネルの放送を受信し、第２の受信態様を指示された時に文字放送を巡回受信する第２の放送受信処理と、
番組の内容を表すキーワードをメモリ登録する登録処理と、
前記第２の放送受信処理に第２の受信態様を指示し、これに応じて前記第２の放送受信処理が巡回受信中に文字放送から得た文字データと前記キーワードとが一致した場合に、そのキーワードで表される内容の見たい番組に切り換えるか否かを指示する指示処理と、
前記指示処理が切り換える旨を指示した場合、前記第２の放送受信処理に第１の受信態様を指示して前記第１の放送受信処理が受信しているチャンネルで放送を受信させる一方、前記キーワードに一致した文字データを含む文字放送を前記第２の放送受信処理が受信した時のチャンネルを受信するよう前記第１の放送受信処理に指示する第１の受信態様制御処理と、
前記切換指示処理が切り換えない旨を指示した場合、前記第２の放送受信処理に第１の受信態様を指示する第２の受信態様制御処理と、
第２の受信態様から第１の受信態様に変更された時に前記第２の放送受信処理による受信出力の録画を開始する録画処理と
をコンピュータで実行させることを特徴とする端末処理プログラム。
【手続補正２】
【補正対象書類名】明細書
【補正対象項目名】０００５
【補正方法】変更
【補正の内容】
【０００５】
上記目的を達成するため、請求項１記載の発明では、放送を受信する第１の放送受信手段と、番組の放送日時およびチャンネルを表す番組データを記憶手段に登録しておき、記憶手段に登録された番組データの中から放送日時が現時刻に一致した該当番組データを検索する検索手段と、前記検索手段が該当番組データを検索した時に、その該当番組データのチャンネルと異なるチャンネルの放送を前記第１の放送受信手段が受信している場合に、前記第１の放送受信手段が受信しているチャンネルで放送受信を開始する第２の放送受信手段と、前記第２の放送受信手段が放送受信を開始する時に、前記第１の放送受信手段に該当番組データのチャンネルで放送受信するよう指示するチャンネル変更指示手段と、前記第２の放送受信手段の受信開始に応じて、その受信出力の録画を開始する録画手段とを具備することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
請求項２に記載の発明では、放送を受信する第１および第２の放送受信手段と、受信開始指示に応じて放送を受信する第２の放送受信手段と、番組の放送日時およびチャンネルを表す番組データを記憶手段に登録しておき、記憶手段に登録された番組データの中から現時刻が放送日時に一致した該当番組データを検索する検索手段と、前記検索手段が該当番組データを検索した時に、その該当番組データのチャンネルと異なるチャンネルの放送を前記第１の放送受信手段が受信している場合に、該当番組データが指定する番組に切り換えるか否かを指示する指示手段と、前記指示手段が切り換える旨を指示した場合、前記第１の放送受信手段が受信しているチャンネルで受信開始するよう前記第２の放送受信手段に指示する第１の受信開始指示手段と、前記第２の放送受信手段が放送受信を開始する時に、前記第１の放送受信手段に該当番組データのチャンネルで放送受信するよう指示するチャンネル変更指示手段と、前記切換指示手段が切り換えない旨を指示した場合、該当番組データのチャンネルで受信開始するよう前記第２の放送受信手段に指示する第２の受信開始指示手段と、前記第２の放送受信手段の受信開始に応じて、その受信出力の録画を開始する録画手段とを具備することを特徴とする。
【手続補正５】
【補正対象書類名】明細書
【補正対象項目名】０００８
【補正方法】変更
【補正の内容】
【０００８】
上記請求項１又は２のいずれかに従属する請求項３に記載の発明では、前記検索手段は、番組の放送日時、チャンネルおよび優先順位を表す番組データを記憶手段に登録しておき、記憶手段に登録された番組データの中から現時刻が放送日時に一致するものを複数検索した場合、その内で優先順位の高いものを該当番組データとして選択することを特徴とする。
【手続補正６】
【補正対象書類名】明細書
【補正対象項目名】０００９
【補正方法】変更
【補正の内容】
【０００９】
請求項４に記載の発明では、  放送を受信する第１の放送受信手段と、第１の受信態様を指示された時に指定されたチャンネルの放送を受信し、第２の受信態様を指示された時に文字放送を巡回受信する第２の放送受信手段と、番組の内容を表すキーワードを記憶手段に登録する登録手段と、前記第２の放送受信手段に第２の受信態様を指示し、これに応じて前記第２の放送受信手段が巡回受信中に文字放送から得た文字データと前記キーワードとが一致した場合に、前記第２の放送受信手段に第１の受信態様を指示して前記第１の放送受信手段が受信しているチャンネルで放送を受信させる一方、前記キーワードに一致した文字データを含む文字放送を前記第２の放送受信手段が受信した時のチャンネルを受信するよう前記第１の放送受信手段に指示する受信態様制御手段と、第２の受信態様から第１の受信態様に変更された時に前記第２の放送受信手段の受信出力の録画を開始する録画手段とを具備することを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
請求項５に記載の発明では、放送を受信する第１の放送受信手段と、第１の受信態様を指示された時に指定されたチャンネルの放送を受信し、第２の受信態様を指示された時に文字放送を巡回受信する第２の放送受信手段と、番組の内容を表すキーワードを記憶手段に登録する登録手段と、前記第２の放送受信手段に第２の受信態様を指示し、これに応じて前記第２の放送受信手段が巡回受信中に文字放送から得た文字データと前記キーワードとが一致した場合に、そのキーワードで表される内容の見たい番組に切り換えるか否かを指示する指示手段と、前記指示手段が切り換える旨を指示した場合、前記第２の放送受信手段に第１の受信態様を指示して前記第１の放送受信手段が受信しているチャンネルで放送を受信させる一方、前記キーワードに一致した文字データを含む文字放送を前記第２の放送受信手段が受信した時のチャンネルを受信するよう前記第１の放送受信手段に指示する第１の受信態様制御手段と、前記切換指示手段が切り換えない旨を指示した場合、前記第２の放送受信手段に第１の受信態様を指示する第２の受信態様制御手段と、第２の受信態様から第１の受信態様に変更された時に前記第２の放送受信手段の受信出力の録画を開始する録画手段とを具備することを特徴とする。
【手続補正９】
【補正対象書類名】明細書
【補正対象項目名】００１２
【補正方法】変更
【補正の内容】
【００１２】
請求項６に記載の発明では、放送を受信する第１の放送受信処理と、番組の放送日時およびチャンネルを表す番組データをメモリ登録しておき、メモリ登録された番組データの中から放送日時が現時刻に一致した該当番組データを検索する検索処理と、前記検索処理が該当番組データを検索した時に、その該当番組データのチャンネルと異なるチャンネルの放送を前記第１の放送受信処理で受信している場合に、前記第１の放送受信処理が受信しているチャンネルで放送受信を開始する第２の放送受信処理と、前記第２の放送受信処理が放送受信を開始する時に、前記第１の放送受信処理に該当番組データのチャンネルで放送受信するよう指示するチャンネル変更指示処理と、前記第２の放送受信処理の受信開始に応じて、その受信出力の録画を開始する録画処理とをコンピュータで実行させることを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
請求項７に記載の発明では、放送を受信する第１の放送受信処理と、受信開始指示に応じて放送を受信する第２の放送受信処理と、番組の放送日時およびチャンネルを表す番組データをメモリ登録しておき、メモリ登録された番組データの中から現時刻が放送日時に一致した該当番組データを検索する検索処理と、前記検索処理が該当番組データを検索した時に、その該当番組データのチャンネルと異なるチャンネルの放送を前記第１の放送受信処理が受信している場合に、該当番組データが指定する番組に切り換えるか否かを指示する指示処理と、前記指示処理が切り換える旨を指示した場合、前記第１の放送受信処理が受信しているチャンネルで受信開始するよう前記第２の放送受信処理に指示する第１の受信開始指示処理と、前記第２の放送受信処理が放送受信を開始する時に、前記第１の放送受信処理に該当番組データのチャンネルで放送受信するよう指示するチャンネル変更指示処理と、前記切換指示処理が切り換えない旨を指示した場合、該当番組データのチャンネルで受信開始するよう前記第２の放送受信処理に指示する第２の受信開始指示処理と、前記第２の放送受信処理の受信開始に応じて、その受信出力の録画を開始する録画処理とをコンピュータで実行させることを特徴とする。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
請求項８に記載の発明では、放送を受信する第１の放送受信処理と、第１の受信態様を指示された時に指定されたチャンネルの放送を受信し、第２の受信態様を指示された時に文字放送を巡回受信する第２の放送受信処理と、番組の内容を表すキーワードをメモリ登録する登録処理と、前記第２の放送受信処理に第２の受信態様を指示し、これに応じて前記第２の放送受信処理が巡回受信中に文字放送から得た文字データと前記キーワードとが一致した場合に、前記第２の放送受信処理に第１の受信態様を指示して前記第１の放送受信処理が受信しているチャンネルで放送を受信させる一方、前記キーワードに一致した文字データを含む文字放送を前記第２の放送受信処理が受信した時のチャンネルを受信するよう前記第１の放送受信処理に指示する受信態様制御処理と、第２の受信態様から第１の受信態様に変更された時に前記第２の放送受信処理による受信出力の録画を開始する録画処理とをコンピュータで実行させることを特徴とする。
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】変更
【補正の内容】
【００１８】
請求項９に記載の発明では、放送を受信する第１の放送受信処理と、第１の受信態様を指示された時に指定されたチャンネルの放送を受信し、第２の受信態様を指示された時に文字放送を巡回受信する第２の放送受信処理と、番組の内容を表すキーワードをメモリ登録する登録処理と、前記第２の放送受信処理に第２の受信態様を指示し、これに応じて前記第２の放送受信処理が巡回受信中に文字放送から得た文字データと前記キーワードとが一致した場合に、そのキーワードで表される内容の見たい番組に切り換えるか否かを指示する指示処理と、前記指示処理が切り換える旨を指示した場合、前記第２の放送受信処理に第１の受信態様を指示して前記第１の放送受信処理が受信しているチャンネルで放送を受信させる一方、前記キーワードに一致した文字データを含む文字放送を前記第２の放送受信処理が受信した時のチャンネルを受信するよう前記第１の放送受信処理に指示する第１の受信態様制御処理と、前記切換指示処理が切り換えない旨を指示した場合、前記第２の放送受信処理に第１の受信態様を指示する第２の受信態様制御処理と、第２の受信態様から第１の受信態様に変更された時に前記第２の放送受信処理による受信出力の録画を開始する録画処理とをコンピュータで実行させることを特徴とする。
【手続補正１６】
【補正対象書類名】明細書
【補正対象項目名】００１９
【補正方法】変更
【補正の内容】
【００１９】
本発明によれば、見たい番組が重なっていても裏番組の見逃しを防ぐことができる。
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】